(57)【要約】【課題】店舗などにおいて展示スペースの削減を効果的に抑制しつつ、必要な更衣室を確保できるようにする。【解決手段】格納可能な更衣室装置は、壁面に固定される箱枠体２と、箱枠体２の前面に開閉可能に設けられ、前面に鏡５が形成される開閉扉６と、カーテン３が吊下げられるカーテンレール７と、箱枠体２に設けられ、カーテンレール７を昇降可能に支持する支持部材８と、を有する。カーテンレール７は、開閉扉６より前方へ突出した状態と、箱枠体２に収容された状態との間で、昇降される。【選択図】図４
2015200103.tif 000002
【特許請求の範囲】
【請求項１】
壁面に固定される箱枠体と、
前記箱枠体の前面に開閉可能に設けられ、前面に鏡が形成される開閉扉と、
カーテンが吊下げられるカーテンレールと、
前記箱枠体に設けられ、前記カーテンレールを昇降可能に支持する支持部材と、
を有し、
前記カーテンレールは、前記開閉扉より前方へ突出した状態と、前記箱枠体に収容された状態との間で、昇降される、
格納可能な更衣室装置。
【請求項２】
前記開閉扉の前面には、前記鏡を間にして前記カーテンを取り付ける取付部材が設けられる、
請求項１記載の、格納可能な更衣室装置。
【請求項３】
前記カーテンレールは、
環状に形成され、
前記支持部材により、前記箱枠体に収容された状態での上部の周りで上下方向へ回動可能に支持され、
前記箱枠体に収容された状態から上へ回動することにより、前記開閉扉より前方へ突出した状態となり、
前記箱枠体内には、前記カーテンレールから吊り下げられているカーテンを拘束する拘束部材が設けられる、
請求項２記載の、格納可能な更衣室装置。
【請求項４】
前記支持部材は、前記カーテンレールが前記箱枠体から前方へ突出する支持位置より上へ回動されることにより前記支持位置での前記カーテンレールの支持を解除し、
さらに、
前記支持位置より上へ回動される前記カーテンレールとともに上へ移動可能な可動部材と、
前記支持部材による前記カーテンレールの支持が解除される解除位置まで前記カーテンレールが上へ回動しないように前記可動部材の上への移動を制限する規制部材と、
を有する、
請求項３記載の、格納可能な更衣室装置。
【請求項５】
前記可動部材は、前記開閉扉の上に設けられ、
さらに、
前記箱枠体の内側面に回動可能に取り付けられ、上下方向へ長尺の解除レバーと、
前記解除レバーの下端に設けられ、前記箱枠体内に収容される前記カーテンレールにより後へ押すことができる把持部材と、
を有し、
前記規制部材は、前記解除レバーの上端に設けられ、前記把持部材が後へ押されることにより前記箱枠体の上部と前記可動部材との間に挿入されて前記可動部材の上への移動を制限する、
請求項４記載の、格納可能な更衣室装置。
【発明の詳細な説明】
【技術分野】
【０００１】
本発明は、格納可能な更衣室装置に関する。
【背景技術】
【０００２】
従来、たとえば衣服を販売する店舗では、衣服を着替えるための更衣室が設置されている。更衣室は、たとえば人が入って着替えができるサイズに形成する必要がある（特許文献１）。
その結果、店舗では、限られた床面積の中で、更衣室を設置するためのスペースを確保しなければならず、更衣室の個数を増やすほど衣服を展示するスペースが削減されてしまうことになる。
それゆえ、現実の店舗では、衣服の展示スペースをできる限り確保するために、更衣室を最小限の個数で設置することになる。
【先行技術文献】
【特許文献】
【０００３】
【特許文献１】特開２００６−１０４７６８号公報
【特許文献２】特開平０７−２３４３０８号公報
【特許文献３】特開平０９−１３１２５０号公報
【発明の概要】
【発明が解決しようとする課題】
【０００４】
しかなしながら、このように更衣室を最小限の個数、たとえば１〜２個で設置した場合、衣服の販売が好調になればなるほど、衣服を試着しようとする顧客が増え、更衣室の前での順番待ちが発生する。順番待ちは、店舗のサービスとしては望ましいことではない。更衣室の順番待ちによるサービスの質の低下を避けることが望まれている。
そこで、特許文献２または３のように折り畳み可能な更衣室を用いることが考えれる。
しかしながら、特許文献２または３の折り畳み可能な更衣室を用いる場合、店舗には、使用していない折り畳み可能な更衣室を収納するスペースを別途確保しなければならない。その分、店舗の展示スペースは削減されてしまう。
この他にもたとえば、イベントスペースでは、たとえば任意の期間で展示する商品が入れ替えられる。展示する商品によっては、更衣室が必要になる。そのため、展示品の入れ替えの度に更衣室を設置したり、更衣室を取り除いたりする必要がある。仮にイベントスペースに更衣室が固定的に設置されている場合には、その分、展示スペースは削減されてしまう。また、イベントスペースのレイアウトが制限されてしまう。
【０００５】
このように、たとえば店舗などでは、展示スペースの削減等を効果的に抑制しつつ、必要な更衣室を確保できるようにすることが望まれている。
【課題を解決するための手段】
【０００６】
本発明に係る格納可能な更衣室装置は、壁面に固定される箱枠体と、前記箱枠体の前面に開閉可能に設けられ、前面に鏡が形成される開閉扉と、カーテンが吊下げられるカーテンレールと、前記箱枠体に設けられ、前記カーテンレールを昇降可能に支持する支持部材と、を有し、前記カーテンレールは、前記開閉扉より前方へ突出した状態と、前記箱枠体に収容された状態との間で、昇降される。
【０００７】
好適には、前記開閉扉の前面には、前記鏡を間にして前記カーテンを取り付ける取付部材が設けられる、とよい。
【０００８】
好適には、前記カーテンレールは、環状に形成され、前記支持部材により、前記箱枠体に収容された状態での上部の周りで上下方向へ回動可能に支持され、前記箱枠体に収容された状態から上へ回動することにより、前記開閉扉より前方へ突出した状態となり、前記箱枠体内には、前記カーテンレールから吊り下げられているカーテンを拘束する拘束部材が設けられる、とよい。
【０００９】
好適には、前記支持部材は、前記カーテンレールが前記箱枠体から前方へ突出する支持位置より上へ回動されることにより前記支持位置での前記カーテンレールの支持を解除し、さらに、前記支持位置より上へ回動される前記カーテンレールとともに上へ移動可能な可動部材と、前記支持部材による前記カーテンレールの支持が解除される解除位置まで前記カーテンレールが上へ回動しないように前記可動部材の上への移動を制限する規制部材と、を有する、とよい。
【００１０】
好適には、前記可動部材は、前記開閉扉の上に設けられ、さらに、前記箱枠体の内側面に回動可能に取り付けられ、上下方向へ長尺の解除レバーと、前記解除レバーの下端に設けられ、前記箱枠体内に収容される前記カーテンレールにより後へ押すことができる把持部材と、を有し、前記規制部材は、前記解除レバーの上端に設けられ、前記把持部材が後へ押されることにより前記箱枠体の上部と前記可動部材との間に挿入されて前記可動部材の上への移動を制限する、とよい。
【発明の効果】
【００１１】
本発明によれば、カーテンレールは、支持部材により、前面に鏡が形成される開閉扉より前方へ突出した状態に支持される。よって、カーテンレールにカーテンを吊り下げることにより、鏡が形成される開閉扉の前に、カーテンで仕切られた更衣スペースを形成できる。
また、本発明の更衣室では、カーテンレールは、支持部材により、箱枠体に収容された状態に支持される。よって、前面に鏡が形成される開閉扉を閉じることにより、たとえば店舗の壁面にオープンスペースでの鏡を設置できる。また、鏡が形成される開閉扉の前に、たとえば衣服の展示スペースとして利用できる。また、更衣室として使用しない状況で、高い意匠性が得られる。
このように、本発明の格納可能な更衣室では、開閉扉の前のスペースを、たとえば、通常は衣服の展示スペースとして利用し、更衣室が必要となる場合には更衣スペースとして利用できる。通常の更衣室を設置した場合のように更衣室の専用のスペースを確保する必要がない。よって、たとえば店舗などにおいて、専用の更衣室スペースによる展示スペースの削減等を効果的に抑制しつつ、必要な更衣室を確保することができる。格納可能な更衣室の前のスペースは、多目的に利用できる。
しかも、本発明では、支持部材によりカーテンレールを箱枠体に収容し、箱枠体を開閉扉で閉じることができる。更衣スペースを形成するために必要となるカーテンレールを箱枠体に収容できる。よって、たとえば、更衣室を格納する際にカーテンレールを他の場所へ置きに行ったり、更衣室を組み立てる際にカーテンレールを他の場所へ取りに行ったりする必要がない。更衣室が固定されている場所において、更衣室の組み立て作業を完結できる。高い作業性が得られる。
【図面の簡単な説明】
【００１２】
【図１】図１は、更衣室が設置される店舗フロアの一例を示す説明図である。
【図２】図２は、本発明の実施形態に係る格納可能な更衣室装置の正面図である。
【図３】図３は、図２の格納状態の更衣室装置の側面図である。
【図４】図４は、図２の状態から、開閉扉を開いた更衣室装置の正面図である。
【図５】図５は、図４の状態から、カーテンレールを前上へ引き出した更衣室装置の縦断面図である。
【図６】図６は、図５の状態から、カーテンを前に移動させた更衣室装置の縦断面図である。
【図７】図７は、図６の状態から、開閉扉を閉じた更衣室の縦断面図である。
【図８】図８は、図７の状態から、カーテンを開いた更衣室装置の縦断面図である。
【図９】図９は、図８の更衣室装置の上面図である。
【図１０】図１０は、図８の更衣室装置の正面図である。
【図１１】図１１は、カーテンレールの昇降動作の説明図である。
【図１２】図１２は、図１の更衣室装置を展開する場合の規制機構の動作の説明図である。
【図１３】図１３は、図１の更衣室装置を格納する場合の規制機構の動作の説明図である（前半）。
【図１４】図１４は、図１の更衣室装置を格納する場合の規制機構の動作の説明図である（後半）。
【図１５】図１５は、本発明の実施形態に係る格納可能な更衣室装置の第一変形例の外観図である。
【図１６】図１６は、本発明の実施形態に係る格納可能な更衣室装置の第二変形例の外観図である。
【発明を実施するための形態】
【００１３】
以下、本発明の実施形態を、図面に基づいて説明する。
図１は、更衣室１０４が設置される店舗フロア１０１の一例を示す説明図である。
図１の店舗フロア１０１には、衣服の陳列棚１０２、会計カウンタ１０３、更衣室１０４が配置される。このように衣服を販売する店舗では、衣服を試着するための更衣室１０４が設置される。更衣室１０４は、たとえば人が入って着替えができるサイズに形成する必要がある。その結果、店舗では、限られた床面積の中で、更衣室１０４を設置するためのスペースを確保しなければならない。そして、更衣室１０４の個数を増やすほど衣服を展示するスペースが削減されてしまうので、現実には、衣服の展示スペースを確保するために、更衣室１０４を最小限の個数で設置することになる。たとえば１〜２個で設置することになる。
しかなしながら、このように更衣室１０４を最小限の個数で設置した場合、衣服の販売が好調になればなるほど、衣服を試着しようとする顧客が増え、更衣室１０４の前での順番待ちが発生してしまう。順番待ちは、販売の機会を喪失する可能性があり、店舗のサービスとして望ましいものではない。店舗では、更衣室１０４の順番待ちによるサービスの質の低下を避けることが望まれている。
このように、たとえば店舗などでは、展示スペースの削減を効果的に抑制しつつ、必要な更衣室１０４を確保できるようにすることが望まれている。
そこで、本実施形態では、格納可能な更衣室装置１を提供する。図１において、更衣室装置１は店舗内の柱に取り付けられている。そして、通常時には更衣室装置１を格納しておくことで、更衣室装置１の前の点線枠のスペースを陳列棚１０２の設置スペースまたは通路として利用できる。また、衣服を試着しようとする顧客が増えた緊急時には、更衣室装置１を展開することで、顧客の順番待ちを解消できる。店舗フロア１０１の限られたスペースを有効に活用して、店舗での販売サービスの質を向上できる。以下、更衣室装置１について具体的に説明する。
【００１４】
図２から図１４は、本発明の実施形態に係る、格納可能な更衣室装置１の外観図である。
更衣室装置１は、たとえば店舗の壁や柱に固定される。そして、更衣室装置１を展開することにより、店舗で販売される衣服を試着する顧客が使用できる。
なお、更衣室装置１は、図３のように壁面の表面に固定されてもよいが、更衣室装置１の背面側が壁面内に埋設された状態で固定されてもよい。
図１の更衣室装置１は、箱枠体２と、箱枠体２の前面に設けられ、カーテン３の取付部材４および鏡５が形成される開閉扉６と、カーテン３が吊下げられるカーテンレール７と、カーテンレール７を昇降可能に支持する支持部材８と、カーテン３を箱枠体２内で拘束する拘束部材９と、を有する。
図２は、格納状態の更衣室装置１の正面図である。図３は、図２の側面図である。
図４は、図２の状態から、開閉扉６を開いた更衣室装置１の正面図である。
図５は、図４の状態から、カーテンレール７を前上へ引き出した更衣室装置１の縦断面図である。
図６は、図５の状態から、カーテン３を前に移動させた更衣室装置１の縦断面図である。
図７は、図６の状態から、開閉扉６を閉じた更衣室装置１の縦断面図である。
図８は、図７の状態から、カーテン３を開いた更衣室装置１の縦断面図である。図９は、図８の上面図である。図１０は、図８の正面図である。ただし、図１０では、右カーテン３Ｒを省略している。
図１１は、カーテンレール７の昇降動作の説明図である。
【００１５】
箱枠体２は、図４および図５に示すように、一対の縦長の木製の縦角材１１、木製の横角材１２、背面板１３、を有する。縦角材１１は、たとえば人の身長より長く形成される。横角材１２は、たとえば人の横幅より長く形成される。一対の縦角材１１と横角材１２とは、矩形枠形状に沿った形状に組まれる。背面板１３は、矩形枠形状に組まれた一対の縦角材１１および横角材１２についての背面に固定される。なお、箱枠体２は、背面板１３を備えなくてもよい。また、一対の縦角材１１と一対の横角材１２とを矩形枠形状に組んでもよい。
矩形枠形状の箱枠体２には、各種の部品などを収容するための内部空間を有する。箱枠体２の前後方向の厚さは、箱枠体２内にカーテン３およびカーテンレール７を収容できるようにするために、たとえば十数センチメートルの厚さに形成するとよい。
矩形枠形状の箱枠体２は、背面板１３が壁面と重なる姿勢で、壁面に固定される。
【００１６】
拘束部材９は、図４および図５に示すように、箱枠体２のたとえば背面板１３の中央に取り付けられる。拘束部材９は、たとえばカーテン３を束ねるための紐、金具でよい。本実施形態の拘束部材９は、四角枠形状の一辺の中央部分を切り欠いた金具である。拘束部材９は、カーテンレール７から吊り下げられているカーテン３を束ねて拘束する。
【００１７】
開閉扉６は、図２および図３に示すように、矩形枠形状の箱枠体２の前面に開閉可能に設けられる。
開閉扉６は、矩形枠形状の箱枠体２の外形と略同じサイズに形成するとよい。本実施形態では、開閉扉６は、その上に配置される後述する幕板３１と合わせて、矩形枠形状の箱枠体２の外形と略同じサイズに形成されている。これにより、開閉扉６と矩形枠形状の箱枠体２との一体感が得られる。格納状態の更衣室装置１の外観には、統一的な意匠デザインを施すことができる。
開閉扉６は、たとえば蝶番により１の縦角材１１に取り付けられる。本実施形態では、図４に示すように、開閉扉６は、左側の縦角材１１に取り付けられている。この場合、開閉扉６は、左側の縦角材１１の周囲で回動し、左右に開閉できる。
なお、開閉扉６は、矩形枠形状の箱枠体２に対して取り外し可能に取り付けられてもよい。ただし、開閉扉６に鏡５を形成して開閉扉６が重量化する場合、開閉扉６は、蝶番により１の縦角材１１に取り付けて支持させるのが望ましい。これにより、女性でも軽い力で開閉扉６を開閉し、更衣室装置１の格納作業および展開作業を実施できる。
【００１８】
開閉扉６の前面には、図２に示すように、鏡５が形成される。
鏡５は、たとえば単なる金属板でも、ガラスの裏面に金属膜を形成したものでもよい。
なお、鏡５は、アクリル板の裏面に金属膜を配置したものでもよい。鏡５は、開閉扉６の前面に張り付けられても、開閉扉６の前面に埋め込まれてもよい。
また、鏡５は、開閉扉６の前面の周縁部以外である中央部分に形成される。なお、鏡５は、開閉扉６の前面に対してその全面に形成されてもよい。また、鏡５が形成された開閉扉６の前面は、略フラットに形成されている。
【００１９】
また、開閉扉６の前面には、図２に示すように、開閉扉６に対してカーテン３を脱着可能に取り付ける取付部材４が設けられる。
取付部材４は、たとえば磁石でよい。本実施形態において取付部材４は、開閉扉６の前面中央の鏡５についての左右両側に縦長に設けられる。このように取付部材４を鏡５と重ならないように鏡５の周囲に設けることにより、鏡５の平面性を損なうことなく開閉扉６の前面に取付部材４を設けることができる。複数の磁石を、一定間隔毎に縦に配列してもよい。
取付部材４は、開閉扉６の前面に露出して設けられても、開閉扉６の前面に埋設して設けられてもよい。ここでは、取付部材４は、開閉扉６の前面に埋設して設けられている。これにより、開閉扉６の前面は、鏡５の周囲に開閉扉６そのものが露出した表面形状になる。開閉扉６の意匠性を高めることができる。
【００２０】
支持部材８は、図４および図５に示すように、箱枠体２に設けられる。本実施形態の支持部材８は、一対のラチェットギア２１、一対の支持アーム２２、を有する。
ラチェットギア２１は、特に図示しないが、ハウジングと、ハウジング内で回転するギアと、ハウジング内でギアとかみ合うカムと、カムと一体化され、ハウジングから突出する可動片と、を有する。可動片は、カムとともにギアの周囲で一方向へ回転可能に設けられる。そして、たとえば可動片を初期位置から９０度以上の１００度程度の角度で回転することにより、カムがギアとかみ合い、可動片は略９０度の位置で支持され得る。また、たとえば可動片を約１１０度から１２０度程度の角度で回転することにより、かみ合ったカムがギアから外れ、可動片は０度の初期位置まで逆へ回転可能になる。
また、ラチェットギア２１のハウジング内には、ダンパ機構が設けられる。ダンパ機構は、たとえば、カムと一体化される受抵抗片と、ハウジング内に充填されるオイルと、で構成できる。可動片の回転にしたがってカムがハウジング内で移動する際、カムと一体化された受抵抗片がオイルの粘性抵抗を受ける。可動片およびカムの回転速度は、オイルの粘性抵抗により抑制される。カムは、ゆっくりと滑らかに回転し得る。
支持アーム２２は、たとえば長尺のＬ型金具である。支持アーム２２の一端は、ラチェットギア２１の可動片に取り付けられる。支持アーム２２は、可動片とともに回転し得る。
そして、一対のラチェットギア２１は、箱枠体２の一対の縦角材１１の内面に取り付けられる。閉じた開閉扉６の上縁より上側となる高さ位置に取り付けられる。
また、ラチェットギア２１は、上述した０度方向が下向きとなり、且つ、可動片が垂直面内で下から前を経由して上へ可動できるように、箱枠体２の内側に取り付けられる。これにより、支持アーム２２は、図１１に示すように、箱枠体２内に格納された下向きの収容姿勢（図４、図１１（Ａ））から、箱枠体２の前方へ略水平に突出した支持姿勢（図５、図１１（Ｂ））を経由して、箱枠体２の前上へ突出する解除姿勢（図１１（Ｃ））となるまで、回動可能になる。
【００２１】
カーテンレール７は、カーテン３の上端に取り付けられるランナを保持可能な略コ字の断面形状を有する。そして、本実施形態のカーテンレール７は、図４に示すように、長尺状のカーテンレール７を略四角形に折り曲げた、環状に形成される。
カーテンレール７は、支持部材８の一対の支持アーム２２に取り付けられる。これにより、カーテンレール７は、支持部材８により上下へ昇降可能に支持される。カーテンレール７は、支持部材８により、図４に示す箱枠体２に収容された状態での上部の周りで、上下方向へ回動可能に支持される（図１１）。その結果、カーテンレール７は、箱枠体２に収容される収容位置（図４）から上へ回動し、開閉扉６の上から箱枠体２の前へ向かって略水平に突出する支持位置（図５）を経由して、開閉扉６より前上方へ突出する解除位置（図１１（Ｃ））まで、上下に昇降できる。
そして、図９に示すように、略水平に突出する支持位置において、環状のカーテンレール７の略四角形の各辺は、前後左右に沿って伸びた状態になる。カーテンレール７の両端は、前辺において前後に配列されている。図９において後側となるカーテンレール７の中央部分は、箱枠体２内に位置する。カーテンレール７における、略コ字の断面形状による開口は、下向きになる。
【００２２】
カーテン３は、図８に示すように、たとえば布地で形成される。カーテン３は、短冊形のプラスチック板を連結したものでもよい。カーテン３の上部には、所定の間隔で複数の図示外のランナが取り付けられる。この複数のランナにより、カーテン３は、カーテンレール７に吊り下げられる。カーテンレール７に吊り下げられたカーテン３は、図５から図８に示すように、カーテンレール７に沿って横へ移動できる。また、カーテンレール７に沿って広げることができる。
本実施形態のカーテン３は、図９に示すように、左カーテン３Ｌと、右カーテン３Ｒとで構成される。左カーテン３Ｌおよび右カーテン３Ｒは、支持位置のカーテンレール７に吊下げられ、カーテンレール７に沿って個別に移動できる。図５に示すように、左カーテン３Ｌおよび右カーテン３Ｒは、図９において後側となるカーテンレール７の中央部分に吊り下げられた状態で、箱枠体２の背面板１３の中央に取り付けられた拘束部材９を用いて拘束できる。
左カーテン３Ｌについての右カーテン３Ｒ側の端辺には、図示外の磁石が取り付けられる。図７に示す支持位置のカーテンレール７の前側に吊り下げられている左カーテン３Ｌを後へ広げると、左カーテン３Ｌの磁石が、開閉扉６の鏡５の左側に埋め込まれた取付部材４に張り付く。左カーテン３Ｌの後端縁が鏡５の左側で開閉扉６に取り付けられる。
右カーテン３Ｒについての左カーテン３Ｌ側の端辺には、図示外の磁石が取り付けられる。図７に示す支持位置のカーテンレール７の前側に吊り下げられている右カーテン３Ｒを後へ広げると、右カーテン３Ｒの磁石が、開閉扉６の鏡５の右側に埋め込まれた取付部材４に張り付く。右カーテン３Ｒの後端縁が鏡５の右側で開閉扉６に取り付けられる。
左カーテン３Ｌと右カーテン３Ｒとは、図９および図１０に示すように、それらの間に開閉扉６の鏡５が位置する状態で、開閉扉６の前面に着脱可能に取り付けられる。
【００２３】
次に、更衣室装置１の格納操作および展開操作について説明する。
図２および図３の格納状態にある更衣室装置１を展開する場合、作業者は、図４に示すように、壁面の固定された更衣室装置１の前面の開閉扉６を開く。これにより、箱枠体２に収容されたカーテンレール７およびカーテン３が露出する。カーテン３は、カーテンレール７に吊下げられた状態で、拘束部材９により箱枠体２の背面に拘束されている。
開閉扉６を開いた後、作業者は、図５に示すように、カーテンレール７を上へ押し上げる。カーテンレール７は、箱枠体２に収容される収容位置から上へ回動し、一旦、図５の支持位置より上まで押し上げられる。この際、カーテン３はカーテンレール７の後側に吊り下げられているので、カーテン３の重さがカーテンレール７に作用しない。カーテンレール７は、小さい力で押し上げることができる。
なお、カーテンレール７は、長身のユーザが試着する場合でもその全身が隠れるように、通常は高い位置に設けられる。この場合、伸長の低い女性などでは、カーテンレール７を支持位置より上まで押し上げることが難しい場合がある。この場合には、たとえば押上棒などを用いればよい。また、押上棒は、開閉扉６の裏面に格納してよい。
その後、作業者がカーテンレール７から手を離すと、カーテンレール７は自重により下がり始める。降下の際、ラチェットギア２１のダンパ機構により、カーテンレール７はゆっくりと静かに降下する。図５の支持位置まで下がると、ラチェットギア２１内でギアとカムとがかみ合い、カーテンレール７の降下が停止する。カーテンレール７は、箱枠体２から開閉扉６より前へ略水平に突出する支持位置において支持される。
次に、作業者は、左カーテン３Ｌおよび右カーテン３Ｒを拘束部材９から外し、図６に示すように、左カーテン３Ｌを左側からカーテンレール７の前側へ移動させ、右カーテン３Ｒを右側からカーテンレール７の前側へ移動させる。作業者は、図７に示すように、開いた開閉扉６を閉じる。作業者は、図８に示すように、左カーテン３Ｌを左側からカーテンレール７の後側へ移動させ、右カーテン３Ｒを右側からカーテンレール７の後側へ移動させる。これにより、左カーテン３Ｌを鏡５の左側の磁石に取り付け、右カーテン３Ｒを鏡５の右側の磁石に取り付けることができる。
これにより、図９および図１０に示すように、更衣室装置１は展開し、更衣室として利用できる。
更衣室として利用する場合、試着するユーザまたは作業者は、ユーザがカーテンレール７内に入った状態で、左カーテン３Ｌをカーテンレール７の左側から前へ広げ、右カーテン３Ｒをカーテンレール７の右側から前へ広げる。そして、図１０に示すように、左カーテン３Ｌと右カーテン３Ｒとを、カーテンレール７の前側で重ねる。これにより、ユーザは、カーテン３により仕切られた空間に存在できる。ユーザは、安心して更衣し、購入しようとする衣服を試着することができる。
【００２４】
また、更衣室としての利用が終わり、展開した更衣室装置１を格納する場合、作業者は、図７に示すように、左カーテン３Ｌを左側からカーテンレール７の前側へ畳み、右カーテン３Ｒを右側からカーテンレール７の前側へ畳む。次に、作業者は、図６に示すように、開閉扉６を開く。
開閉扉６を開いた後、作業者は、左カーテン３Ｌを左側からカーテンレール７の後側へ移動させ、右カーテン３Ｒを右側からカーテンレール７の後側へ移動させる。そして、図５に示すように、左カーテン３Ｌおよび右カーテン３Ｒを拘束部材９により拘束する。
次に、作業者は、支持位置のカーテンレール７を上へ押し上げる。押上棒などを用いて押し上げてもよい。なお、実際には後述するように、作業者は、解除レバー３３を手前に操作した後に支持位置のカーテンレール７を上へ押し上げる。カーテンレール７は、支持位置から上へ回動し、解除位置まで押し上げられる。カーテンレール７の支持が解除される。この際、カーテン３はカーテンレール７の後側に吊り下げられているので、カーテン３の重さがカーテンレール７に作用しない。カーテンレール７は、小さい力で押し上げることができる。
その後、作業者がカーテンレール７から手を離すと、カーテンレール７は自重により下がり始める。降下の際、ラチェットギア２１のダンパ機構により、カーテンレール７はゆっくりと静かに降下する。解除後のカーテンレール７は、支持位置を通過し、図４の格納位置まで下がる。カーテンレール７は、箱枠体２に収容される格納位置において降下を終了する。
次に、作業者は、図３に示すように、開いた開閉扉６を閉じる。これにより、図２に示すように、開閉扉６により塞がれた箱枠体２内に、カーテン３およびカーテンレール７を格納できる。更衣室装置１の格納作業が終了する。
【００２５】
ところで、このように格納可能な更衣室装置１は、必要に応じて展開して更衣室として利用でき、しかも、不要な場合には格納して更衣室装置１の前を展示スペースや通路として有効に利用できる。通常の更衣室１０４では得られない高い利便性がある。
しかしながら、格納可能な更衣室装置１では、その可動性を確保するために、カーテンレール７が上下に回動可能とされている。
その結果、たとえば使用中に、支持位置のカーテンレール７が押し上げられて、カーテンレール７の支持が解除されてしまう可能性がある。使用中にカーテンレール７が下がる可能性がある。
このため、本実施形態では、格納可能な更衣室装置１について、更に改善を加える。具体的には、カーテンレール７が解除位置へ上がらないようにするための規制機構を設け、カーテンレール７の支持が不用意に解除されないようにする。以下、詳しく説明する。
【００２６】
図１２から図１４は、図１の更衣室装置１に用いられる規制機構の説明図である。
本実施形態の規制機構は、幕板３１、規制部材３２、解除レバー３３、把持部材３４、を有する。
図１２は、図１の更衣室装置１を展開する場合の規制機構の動作の説明図である。
図１３および図１４は、図１の更衣室装置１を格納する場合の規制機構の動作の説明図である。
【００２７】
幕板３１は、図１２に示すように、箱枠体２の前面上部に昇降可能に取り付けられる。
幕板３１は、開閉扉６と同じ幅の前面板３５と、前面板３５の幅方向右側の下端から後へ伸びる状態に設けられる規制板３６と、を有する。
幕板３１の前面は、開閉扉６と同じデザインとしてよい。これにより、閉じた開閉扉６と幕板３１とに統一されたデザインを施すことができ、高い意匠性が得られる。
幕板３１の両端部分は、図示外の一対のスライドレールにより、箱枠体２の前面上部に取り付けられる。幕板３１は、一対のスライドレールにより、閉じた開閉扉６の上縁に近接する直上位置から上へ移動可能である。幕板３１は、箱枠体２の上部を構成する上側の横角材１２に規制板３６が当たるまで、移動可能である。
図１２に示すように、カーテンレール７が支持位置の直下まで持ち上げられることにより、カーテンレール７が幕板３１に当たり、幕板３１が上へ移動する。
このように幕板３１は、箱枠体２の前面上部に取り付けられ、たとえば支持位置より上へ回動されるカーテンレール７とともに上へ移動できる。
【００２８】
解除レバー３３は、図１２に示すように、長尺の棒形状を有する。ここでは、長尺の解除レバー３３の中央部は、箱枠体２の右内側面、すなわち右の縦角材１１の左面に回動可能に取り付けられる。解除レバー３３は、上下方向へ長尺に配置され、前後方向に沿った面内で回動可能に取り付けられる。
上下方向へ長尺の解除レバー３３の上端は、箱枠体２の上面の直下、すなわち上側の横角材１２の直下まで伸びる。
また、右の縦角材１１において、解除レバー３３は、ラチェットギア２１と略同じ高さ位置に回動可能に取り付けられる。解除レバー３３の下端は、ラチェットギア２１より下方へ伸びる。
【００２９】
規制部材３２は、たとえばゴム製の円柱形状の部材である。図１２に示すように、規制部材３２は、解除レバー３３の上端において、解除レバー３３から内側（左側）へ突出するように取り付けられる。
図１２（Ａ）に示すように解除レバー３３の上端が前へ回転した状態では、規制部材３２は、幕板３１の規制板３６の上方に位置する。幕板３１の規制板３６と箱枠体２の上部を構成する上側の横角材１２との間に規制部材３２が位置することにより、幕板３１は、図１２（Ｂ）に示すように上へ一定以上に上がらなくなる。規制部材３２により、幕板３１についての上への移動が規制される。その結果、カーテンレール７、支持アーム２２、およびラチェットギア２１の可動片が、上へ一定以上に回動しないように規制できる。カーテンレール７は、支持部材８による支持が解除される解除位置まで上昇できなくなる。
そして、押し上げられたカーテンレール７は、図１２（Ｃ）に示すように支持位置に落ち着く。
【００３０】
また、図１３（Ａ）および図１３（Ｂ）に示すように、解除レバー３３の上端が前から後へ移動することにより、規制部材３２は、幕板３１の規制板３６より後側に位置する。解除レバー３３の回動により、規制部材３２は前後方向へ移動し、規制板３６の上方位置に対して挿抜される。
そして、規制部材３２が後側へ退避した状態でカーテンレール７を押し上げると、図１３（Ｃ）に示すように、押し上げられたカーテンレール７は解除位置まで押し上げることができる。カーテンレール７、支持アーム２２、およびラチェットギア２１の可動片の支持が解除される。
その後、カーテンレール７から作業者が手を放すと、カーテンレール７は自重で降下する。降下したカーテンレール７は、図１４（Ａ）に示すように解除レバー３３の下端の把持部材３４に当たる。自重で降下するカーテンレール７は、図１４（Ｂ）に示すように自らを収容位置まで降下させるとともに、把持部材３４を後側へ押し込む。
なお、箱枠体２の上側の横角材１２の下面には、下方へ突出する突起部材３８が設けられる。突起部材３８は、たとえばゴムまたは金属で形成してよい。突起部材３８は、前後方向へ移動する規制部材３２と当接する。よって、解除レバー３３を回動させて、規制板３６の上方位置に対して規制部材３２を挿抜しようとする場合、作業者は、解除レバー３３に対して比較的強い力を加えなければならない。たとえば幕板３１の規制板３６の上方に位置している規制部材３２を規制板３６と箱枠体２の上側の横角材１２との間から抜く場合、作業者は、強い力で解除レバー３３を後側へ押さなければならない。
【００３１】
把持部材３４は、解除レバー３３と一体に形成される金属製の棒形状の部分である。把持部材３４は、解除レバー３３の下端において、図１４に示すように、解除レバー３３から内側（左側）へ突出するように設けられる。なお、把持部材３４は、棒状のゴム部材で形成し、解除レバー３３に取り付けてもよい。
把持部材３４は、解除レバー３３を操作する作業者により把持される。
作業者が把持部材３４を把持して後へ押すことにより、図１４に示すように解除レバー３３の上端が前へ移動し、幕板３１の規制板３６と箱枠体２の上部を構成する上側の横角材１２との間に規制部材３２が位置する。
逆に、図１２に示すように、作業者が把持部材３４を把持して前へ引くことにより、解除レバー３３の上端が後へ移動し、規制部材３２は幕板３１の規制板３６と箱枠体２の上側の横角材１２との間の位置から後ろへ移動する。
このように、作業者が把持部材３４を前後に操作することにより、規制部材３２により幕板３１の上下動の範囲を規制したり、規制部材３２による規制を解除して幕板３１が大きく上へ移動可能にしたりできる。
【００３２】
また、把持部材３４は、解除レバー３３の下端において、解除レバー３３から内側（左側）へ突出している。よって、図１４に示すように、解除後のカーテンレール７は、支持位置を通過してから格納位置まで下がる間に、把持部材３４に当たる。そして、把持部材３４は、自重により降下するカーテンレール７により自動的に後へ押される。規制部材３２は幕板３１の規制板３６と箱枠体２の上側の横角材１２との間の位置に自動的に復帰する。その結果、次に更衣室装置１を展開する際に、作業者は、ロック機構を有効とするために自ら把持部材３４を把持して後へ押す必要はない。
図１３および図１４に示すように、格納時に自重により降下するカーテンレール７により、把持部材３４、解除レバー３３および規制部材３２は、自動的に図１２（Ａ）の位置へ復帰する。
よって、作業者は、図１２に示すように更衣室装置１を格納する場合においてのみ、把持部材３４を操作すればよい。
作業者は、図６のように開閉扉６を開いた後、把持部材３４を手前に引く操作をすればよい。把持部材３４が手前に引かれることにより、規制部材３２が幕板３１の規制板３６と箱枠体２の上側の横角材１２との間の位置から後ろへ移動して外れ、幕板３１の規制を解除できる。
その状態で、作業者は、図５の支持位置のカーテンレール７を解除位置まで押し上げて、幕板３１を大きく上へ移動させて、カーテンレール７の支持を解除できる。そして、カーテンレール７は、図４に示すように箱枠体２内に収容される。
【００３３】
以上のように、本実施形態の更衣室装置１では、カーテンレール７は、支持部材８により、前面に鏡５が形成される開閉扉６より前方へ突出した状態に支持される。よって、カーテンレール７にカーテン３を吊り下げることにより、鏡５が形成される開閉扉６の前に、カーテン３で仕切られた更衣スペースを形成できる。
また、本実施形態の更衣室装置１では、カーテンレール７は、支持部材８により、箱枠体２に収容された状態に支持される。よって、前面に鏡５が形成される開閉扉６を閉じることにより、たとえば店舗の壁面にオープンスペースでの鏡５を設置できる。また、鏡５が形成される開閉扉６の前に、たとえば衣服の展示スペースとして利用できる。更衣室として使用しない状況で、高い意匠性が得られる。
このように、本実施形態の格納可能な更衣室装置１では、開閉扉６の前のスペースを、たとえば通常は衣服の展示スペースとして利用し、更衣室が必要となる場合には更衣室として利用できる。通常の更衣室１０４を設置した場合のように更衣室１０４の専用のスペースを確保する必要がない。よって、たとえば店舗などにおいて、専用の更衣室による展示スペースの削減を効果的に抑制しつつ、必要な更衣室を確保することができる。格納可能な更衣室装置１の前のスペースは、多目的に利用できる。
しかも、本実施形態では、支持部材８によりカーテンレール７を箱枠体２に収容し、箱枠体２を開閉扉６で閉じることができる。更衣スペースを仕切るために必要となるカーテンレール７などを箱枠体２に収容できる。よって、たとえば、更衣室装置１を格納する際にカーテンレール７を取り外して他の場所へ置きに行ったり、更衣室を作成する際にカーテンレール７を他の場所へ取りに行ったりする必要がない。更衣室装置１が固定されている場所での作業により、更衣室装置１の組み立て作業を完結できる。高い作業性が得られる。
【００３４】
また、本実施形態では、取付部材４により、カーテンレール７から吊下げられたカーテン３を開閉扉６の前面に取り付けることができる。そして、カーテン３の間に、開閉扉６の前面の鏡５を設けることができる。よって、通常の更衣室１０４と同様に、カーテン３で仕切られる空間に鏡５を設けることができる。収納可能な更衣室装置１により形成される仕切られた空間で、試着し、鏡５で確認できる。格納可能な更衣室装置１に、通常の更衣室１０４と同等の機能を持たせることができる。
【００３５】
また、本実施形態では、箱枠体２に収容されるカーテンレール７が環状に形成され、箱枠体２にはカーテンレール７から吊り下げられているカーテン３を拘束する拘束部材９が設けられる。よって、カーテンレール７から吊り下げられているカーテン３についても、箱枠体２に拘束して収容できる。カーテン３を収納する場所を、格納可能な更衣室装置１と別に確保する必要がない。しかも、カーテン３は、カーテンレール７から吊り下げたままで収容できる。カーテン３を折り畳んだ場合のように、カーテン３に織り目が付いてしまうこともない。
そして、たとえば、箱枠体２の開閉扉６を開き、カーテンレール７を開閉扉６より前方へ突出した状態まで回動させ、カーテン３を拘束部材９から外すことにより、容易に更衣室装置１を組み立てることができる。また、箱枠体２の開閉扉６を開き、拘束部材９にカーテン３を固定し、カーテンレール７を下へ回動させることにより、更衣室装置１を容易に格納できる。更衣室装置１の展開および格納の作業性が改善される。
また、本実施形態では、格納可能な更衣室装置１は、壁面に固定される箱枠体２を骨格としてモジュール化されている。よって、壁面に箱枠体２を固定するスペースを確保するだけで、更衣室装置１を店舗に設置できる。店舗内で更衣室１０４を組み立てる必要がない。更衣室の設置作業性が改善できる。
【００３６】
また、本実施形態では、カーテンレール７は、支持位置から上へ回動されることにより支持部材８による支持が解除される。そして、カーテンレール７の上側には、カーテンレール７とともに上へ移動可能な幕板３１が設けられ、幕板３１の規制板３６と箱枠体２の上部との間に規制部材３２を挿抜可能に配置している。
よって、規制部材３２が幕板３１の規制板３６と箱枠体２の上部との間に介在することにより、幕板３１の上への移動を制限でき、カーテンレール７が解除位置まで上がらないようにできる。よって、たとえば更衣室として使用中にカーテンレール７が支持位置から上へ押し上げられて、使用中にカーテンレール７の支持が不用意に解除されてしまう、といった事態が発生し難くなる。
しかも、更衣室装置１を収納する場合には、規制部材３２を幕板３１の規制板３６と箱枠体２の上部との間から抜くことにより、幕板３１の上への移動制限を解除でき、カーテンレール７が解除位置まで上へ移動できるようになる。そして、カーテンレール７を解除位置まで押し上げて、カーテンレール７を箱枠体２に容易に収めることができる。
【００３７】
また、本実施形態では、幕板３１が開閉扉６の上の高い位置に設けられているにもかかわらず、箱枠体２の内側面に、上下方向へ長尺の解除レバー３３を回動可能に取り付け、この解除レバー３３の上端に規制部材３２を設けている。また、解除レバー３３の下端に、把持部材３４を設けている。よって、規制部材３２より低い位置にある把持部材３４を前へ引くことにより、背の低い女性などでも容易に規制部材３２による幕板３１の上への移動の規制を解除できる。
しかも、把持部材３４は、解除レバー３３の下端から、箱枠体２の内側へ向けて突出し、箱枠体２内に収容される際に降下するカーテンレール７に当たり、カーテンレール７により後へ押される。ロックを解除するために前へ引かれた把持部材３４は、収容時に自重で降下するカーテンレール７により自動的に奥へ移動できる。その結果、規制部材３２についても、幕板３１の規制板３６と箱枠体２の上部との間の位置に、自動的に復帰できる。
作業者がカーテンレール７を解除位置まで押し上げた後に自ら把持部材３４を奥へ操作することなく、規制部材３２を、幕板３１の規制板３６と箱枠体２の上部との間の位置に自動的に復帰させることができる。また、次回の使用時には、規制部材３２による規制が予め有効となっているので、解除レバー３３の把持部材３４が再度前へ引かれるまでの期間では、規制部材３２による幕板３１の上下動を規制できる。
【００３８】
以上の実施形態は、本発明の好適な実施形態の例であるが、本発明は、これに限定されるものではなく、発明の要旨を逸脱しない範囲において種々の変形または変更が可能である。
【００３９】
たとえば上記実施形態では、格納可能な更衣室装置１の箱枠体２には、カーテンレール７、およびカーテン３が収容される。
この他にもたとえば、箱枠体２には、更衣室で利用する各種の部材を格納してよい。更衣室で利用する部材としては、たとえばフロアマット４２、靴べら、裾止め針、などがある。
【００４０】
図１５は、本発明の実施形態に係る、格納可能な更衣室装置１の第一変形例の外観図である。
図１５の更衣室装置１の箱枠体２の背面板１３には、拘束部材９より下側の位置に、フック４１が設けられる。このフック４１には、フロアマット４２が掛けられている。
【００４１】
図１６は、本発明の実施形態に係る、格納可能な更衣室装置１の第二変形例の外観図である。
図１６の更衣室装置１は、フロアパネル５１、フロアパネル５１の支持部材５２を有する。フロアパネル５１の支持部材５２は、箱枠体２の下部に取り付けられ、フロアパネル５１を前下へ回動可能に支持する。更衣室装置１を展開する場合、作業者は、開閉扉６を開いた後、フロアパネル５１を前下に回動させる。これにより、カーテン３で囲われる空間に、フロアパネル５１を設置できる。また、更衣室装置１を格納する場合、作業者は、開閉扉６を開いた後、フロアパネル５１を後上へ回動させればよい。
【００４２】
上記実施形態では、カーテンレール７は、環状に形成されている。
この他にもたとえば、カーテンレール７は、半円弧上の二本のカーテンレール７を組み合わせて左右で独立して設けられてもよい。
【００４３】
上記実施形態では、開閉扉６の上に幕板３１を設け、この幕板３１の上への移動を規制することにより、カーテンレール７が解除位置まで上がらないようにしている。
この他にもたとえば、箱枠体２内に、支持位置から上へ回動されるカーテンレール７とともに上下動可能な可動部材を設け、この可動部材についての上への移動を、規制部材３２により規制してもよい。これにより、カーテンレール７が解除位置まで上へ回動しないように、幕板３１の上への移動を制限することができる。
【００４４】
上記実施形態は、本発明の実施形態に係る、格納可能な更衣室装置１を店舗に設置した例である。
この他にもたとえば、本発明の実施形態に係る、格納可能な更衣室装置１は、イベントスペースなどに設置されてもよい。この場合、不要な更衣室装置１について格納することができるので、設置された更衣室装置１により、展示スペースが削減されたり、イベントスペースのレイアウトが制限されたりし難くなる。そして、店舗などにおいて、展示スペースの削減等を効果的に抑制しつつ、必要な更衣室を確保できる。
【符号の説明】
【００４５】
１…更衣室装置、２…箱枠体、３…カーテン、３Ｒ…右カーテン、３Ｌ…左カーテン、４…取付部材、５…鏡、６…開閉扉、７…カーテンレール、８…支持部材、９…拘束部材、１１…縦角材、１２…横角材、１３…背面板、２１…ラチェットギア、２２…支持アーム、３１…幕板（可動部材）、３２…規制部材、３３…解除レバー、３４…把持部材、３５…前面板、３６…規制板、３８…突起部材、４１…フック、４２…フロアマット、５１…フロアパネル、５２…支持部材、１０１…店舗フロア、１０２…陳列棚、１０３…会計カウンタ、１０４…更衣室
【図１】
2015200103.tif 000003
【図２】
2015200103.tif 000004
【図３】
2015200103.tif 000005
【図４】
2015200103.tif 000006
【図５】
2015200103.tif 000007
【図６】
2015200103.tif 000008
【図７】
2015200103.tif 000009
【図８】
2015200103.tif 000010
【図９】
2015200103.tif 000011
【図１０】
2015200103.tif 000012
【図１１】
2015200103.tif 000013
【図１２】
2015200103.tif 000014
【図１３】
2015200103.tif 000015
【図１４】
2015200103.tif 000016
【図１５】
2015200103.tif 000017
【図１６】
2015200103.tif 000018